(57)【特許請求の範囲】
【請求項１】
酸素ラジカルを発生する酸素ラジカル発生装置において、
酸素を含む第一ガスが供給される第一ガス供給部と、
酸素を含む第二ガスが供給される第二ガス供給部と、
前記第二ガス供給部に供給された前記第二ガスに放電処理を施して前記酸素ラジカルを発生させる放電処理部と、
前記第一ガス供給部に連設してあり、前記放電処理部によって前記放電処理が施された前記第二ガスと前記第一ガス供給部に供給された前記第一ガスとを混合した混合ガスを生成する混合部と、
前記混合部に連設してあり、前記放電処理部で発生された前記酸素ラジカルを前記混合部に供給するガス供給口と、
前記混合部によって生成された前記混合ガスを排出する混合ガス排出部とを備え、
前記混合部は、前記第一ガス供給部から供給される前記第一ガスの供給方向と前記ガス供給口から前記酸素ラジカルが供給される供給方向との交差領域に配置してあることを特徴とする酸素ラジカル発生装置。
【請求項２】
前記放電処理部によって前記放電処理が施された前記第二ガスを前記混合部へと導く出口部位を更に備え、
前記出口部位は、前記第一ガス供給部から前記混合ガス排出部へと向かうガス流方向に交差する交差方向で前記混合部と接続してあることを特徴とする請求項１に記載の酸素ラジカル発生装置。
【請求項３】
ガス流方向に沿って前記第一ガス供給部と前記混合部との間に位置し、前記第一ガス供給部側から前記混合部側へ向かって縮径するよう構成してあり、前記第一ガス供給部に供給された前記第一ガスを前記混合部へと導くノズル部位と、
前記ガス流方向に沿って前記混合部と前記混合ガス排出部との間に位置し、前記混合部側から前記混合ガス排出部側へ向かって拡径するよう構成してあり、前記混合部において混合された前記混合ガスを前記混合ガス排出部へと導くディフューザ部位とを備える
ことを特徴とする請求項１または２に記載の酸素ラジカル発生装置。
【請求項４】
前記放電処理部における前記第二ガスのガス圧が１ｋＰａから５０ｋＰａであることを特徴とする請求項１から３のいずれか１項に記載の酸素ラジカル発生装置。
【請求項５】
前記放電処理の電力を前記放電処理部の放電体積で割った値である放電電力密度をＷとし、前記放電処理部を流れる前記第二ガスのガス圧をＰとしたときに、Ｗ＞１．１×Ｐ３．０７３を満足することを特徴とする請求項１から４のいずれか１項に記載の酸素ラジカル発生装置。
【請求項６】
前記第一ガスの流量をＱ１とし、前記第二ガスの流量をＱとしたときに、（Ｑ＋Ｑ１）／Ｑ≧１０を満足することを特徴とする請求項１から５のいずれか１項に記載の酸素ラジカル発生装置。
【請求項７】
前記酸素ラジカル発生装置は、前記放電処理部に不活性ガスを供給する不活性ガス供給部をさらに備え、前記放電処理の電力の印加を開始するときに前記不活性ガス供給部から前記不活性ガスを供給し、放電が発生した後に前記不活性ガスの供給を減らし前記第二ガスの流量を増やすことを特徴とする請求項１から６のいずれか１項に記載の酸素ラジカル発生装置。
【請求項８】
前記第一ガスの水分含有量を０．５％以下としたことを特徴とする請求項１から７のいずれか１項に記載の酸素ラジカル発生装置。
【請求項９】
酸素ラジカルを発生する酸素ラジカル発生装置において、
酸素を含む第一ガスが供給される第一ガス供給部と、
酸素を含む第二ガスが供給される第二ガス供給部と、
前記第二ガス供給部に供給された前記第二ガスに放電処理を施して前記酸素ラジカルを発生させる放電処理部と、
前記放電処理部によって前記放電処理が施された前記第二ガスと前記第一ガス供給部に供給された前記第一ガスとを混合した混合ガスを生成する混合部と、
前記混合部によって生成された前記混合ガスを排出する混合ガス排出部と、
前記放電処理部に不活性ガスを供給する不活性ガス供給部とを備えた酸素ラジカル発生装置であって、
前記放電処理の電力の印加を開始するときに前記不活性ガス供給部から前記不活性ガスを供給し、放電が発生した後に前記不活性ガスの供給を減らし前記第二ガスの流量を増やすことを特徴とする酸素ラジカル発生装置。
【請求項１０】
酸素ラジカルを発生する酸素ラジカル発生方法において、
酸素を含む第一ガスを第一ガス供給部に供給する第一ガス供給ステップと、
酸素を含む第二ガスを第二ガス供給部に供給する第二ガス供給ステップと、
前記第二ガス供給部に供給された前記第二ガスに放電処理を施して前記酸素ラジカルを発生させる放電処理ステップと、
前記放電処理ステップによって前記放電処理が施された前記第二ガスと前記第一ガス供給部に供給された前記第一ガスとを前記第一ガス供給部に連設された混合部で混合して混合ガスを生成する混合ステップと、
前記混合部に連設されたガス供給口から前記放電処理ステップで発生された前記酸素ラジカルを、前記第一ガス供給部から供給される前記第一ガスの供給方向と前記ガス供給口から前記酸素ラジカルが供給される供給方向との交差領域に配置してある前記混合部に供給するガス供給ステップと、
前記混合ステップによって生成された前記混合ガスを混合ガス排出部から排出する混合ガス排出ステップとを備えることを特徴とする酸素ラジカル発生方法。
【請求項１１】
前記放電処理ステップによって前記放電処理が施された前記第二ガスを、前記第一ガス供給部から前記混合ガス排出部へと向かうガス流方向に交差する交差方向で前記混合部へと導く第二ガス誘導ステップを更に備えることを特徴とする請求項１０に記載の酸素ラジカル発生方法。
【請求項１２】
ガス流方向に沿って前記第一ガス供給部と前記混合部との間に位置し、前記第一ガス供給部側から前記混合部側へ向かって縮径するよう構成してあり、前記第一ガス供給部に供給された前記第一ガスを前記混合部へと導くノズル部位を準備するノズル部位準備ステップと、
前記ガス流方向に沿って前記混合部と前記混合ガス排出部との間に位置し、前記混合部側から前記混合ガス排出部側へ向かって拡径するよう構成してあり、前記混合部において混合された前記混合ガスを前記混合ガス排出部へと導くディフューザ部位を準備するディフューザ部位準備ステップとを備える
ことを特徴とする請求項１０または１１に記載の酸素ラジカル発生方法。
【請求項１３】
前記放電処理ステップにおける前記第二ガスのガス圧が１ｋＰａから５０ｋＰａであることを特徴とする請求項１０から１２のいずれか１項に記載の酸素ラジカル発生方法。
【請求項１４】
前記放電処理ステップにおける前記放電処理の電力を放電体積で割った値である放電電力密度をＷとし、前記第二ガスのガス圧をＰとしたときに、Ｗ＞１．１×Ｐ３．０７３を満足することを特徴とする請求項１０から１３のいずれか１項に記載の酸素ラジカル発生方法。
【請求項１５】
前記混合ステップにおける前記第一ガスの流量をＱ１とし、前記第二ガスの流量をＱとしたときに、（Ｑ＋Ｑ１）／Ｑ≧１０を満足することを特徴とする請求項１０から１４のいずれか１項に記載の酸素ラジカル発生方法。
【請求項１６】
前記放電処理ステップの前に、不活性ガスに放電処理を行って放電を開始させる放電開始ステップをさらに備えたことを特徴とする請求項１０から１５のいずれか１項に記載の酸素ラジカル発生方法。
【請求項１７】
酸素ラジカルを発生する酸素ラジカル発生方法において、
酸素を含む第一ガスを第一ガス供給部に供給する第一ガス供給ステップと、
酸素を含む第二ガスを第二ガス供給部に供給する第二ガス供給ステップと、
前記第二ガス供給部に供給された前記第二ガスに放電処理を施して前記酸素ラジカルを発生させる放電処理ステップと、
前記放電処理ステップによって前記放電処理が施された前記第二ガスと前記第一ガス供給部に供給された前記第一ガスとを混合部で混合して混合ガスを生成する混合ステップと、
前記混合ステップによって生成された前記混合ガスを混合ガス排出部から排出する混合ガス排出ステップとを備えた酸素ラジカル発生方法であって、
前記放電処理ステップの前に、不活性ガスに放電処理を行って放電を開始させる放電開始ステップをさらに備えたことを特徴とする酸素ラジカル発生方法。
【発明の詳細な説明】
【技術分野】
【０００１】
本願は、酸素ラジカル発生装置および酸素ラジカル発生方法に関する。
【背景技術】
【０００２】
一般的なオゾン発生装置は、放電を用いてオゾンを発生している。このオゾン発生装置においては、放電空間における電子衝突で酸素ガス（Ｏ２）が解離されて酸素ラジカル（Ｏ）が生成され（Ｏ２＋ｅ→Ｏ＋Ｏ＋ｅ、ｅは電子を示す）、生成された酸素ラジカルと周辺に存在する酸素ガスとが結合されてオゾン（Ｏ３）が生成される（Ｏ＋Ｏ２＋Ｍ→Ｏ３＋Ｍ、Ｍは第三体を示す）。このオゾン発生装置においては、以下の２つの根本的な課題が知られている。【０００３】
１つは、オゾンの発生効率が低くなることである。放電空間ではオゾンの生成反応と同時にオゾンの分解反応（Ｏ３＋ｅ→Ｏ＋Ｏ２＋ｅ）も起こるため、オゾンの発生効率が低くなる。もう１つは、比較的高価な誘電体バリア放電システムが必要なことである。オゾンの生成反応が発熱反応であるため、反応エネルギーを吸収するための第三体（Ｍ）が必要である。そのため、ガス圧が１気圧（１０１ｋＰａ）以上での動作が求められ、安定な放電を維持するためには比較的高価な誘電体バリア放電システムが必要となる。【０００４】
これらの課題を解決する従来のオゾン発生装置として、空気が流れる第一ガス配管と酸素ガスが流れる第二ガス配管とを同軸状に配置し、内管にあたる第一ガス配管を接地電極として用い、外管にあたる第二ガス配管を高電圧電極として用い、誘電体バリア放電で酸素ガス中に酸素プラズマを発生させるオゾン発生装置が開示されている。このオゾン発生装置は、ガス−ガスエジェクタのベンチュリー効果で第二ガス配管内に低ガス圧の放電空間を形成し、その放電空間で酸素プラズマを発生させて酸素ラジカルを生成している。そして、このオゾン発生装置は、生成した酸素ラジカルを空気に直接注入してオゾンを発生させている。このオゾン発生装置においては、放電空間が低ガス圧状態のため酸素ラジカルと第三体との衝突が起こる確率は低い。その結果、放電空間ではオゾンが生成されず、酸素ラジカルの状態が保持される（例えば、特許文献１参照）。
【先行技術文献】
【特許文献】
【０００５】
【特許文献１】特開平９−８６９０４号公報
【発明の概要】
【発明が解決しようとする課題】
【０００６】
従来のオゾン発生装置においては、空気が流れる第一ガス配管を電極として使用するため、放電空間は常温の空気によって冷却される。しかしながら、酸素ラジカルは低温では寿命が短い。また、放電空間と酸素ラジカルが空気に注入される位置とが離れているため、放電空間で生成された酸素ラジカルが有効に空気に注入されないという問題があった。【０００７】
本願は上述のような課題を解決するためになされたもので、効率よく酸素ラジカルを空気に注入することができる酸素ラジカル発生装置を提供することを目的とする。
【課題を解決するための手段】
【０００８】
本願の酸素ラジカル発生装置は、酸素を含む第一ガスが供給される第一ガス供給部と、酸素を含む第二ガスが供給される第二ガス供給部と、第二ガス供給部に供給された第二ガスに放電処理を施して酸素ラジカルを発生させる放電処理部と、第一ガス供給部に連設してあり、放電処理部によって放電処理が施された第二ガスと第一ガス供給部に供給された第一ガスとを混合した混合ガスを生成する混合部と、混合部に連設してあり、放電処理部で発生された酸素ラジカルを混合部に供給するガス供給口と、混合部によって生成された混合ガスを排出する混合ガス排出部とを備え、混合部は、第一ガス供給部から供給される第一ガスの供給方向とガス供給口から酸素ラジカルが供給される供給方向との交差領域に配置してある。
【発明の効果】
【０００９】
本願の酸素ラジカル発生装置は、酸素を含む第一ガスが供給される第一ガス供給部と、酸素を含む第二ガスが供給される第二ガス供給部と、第二ガス供給部に供給された第二ガスに放電処理を施して酸素ラジカルを発生させる放電処理部と、第一ガス供給部に連設してあり、放電処理部によって放電処理が施された第二ガスと第一ガス供給部に供給された第一ガスとを混合した混合ガスを生成する混合部と、混合部に連設してあり、放電処理部で発生された酸素ラジカルを混合部に供給するガス供給口と、混合部によって生成された混合ガスを排出する混合ガス排出部とを備え、混合部は、第一ガス供給部から供給される第一ガスの供給方向とガス供給口から酸素ラジカルが供給される供給方向との交差領域に配置してあるので、効率よく酸素ラジカルを第一ガスに注入することができる。
【図面の簡単な説明】
【００１０】
【図１】実施の形態１に係る酸素ラジカル発生装置の構成図である。
【図２】実施の形態１の酸素ラジカル供給装置の特性図である。
【図３】実施の形態１の酸素ラジカル供給装置の特性図である。
【図４】実施の形態１の酸素ラジカル供給装置の特性図である。
【図５】実施の形態１に係る酸素ラジカル発生装置の特性図である。
【図６】実施の形態１に係る酸素ラジカル発生装置の特性図である。
【図７】実施の形態１に係る酸素ラジカル発生装置の特性表を示す図である。
【図８】実施の形態１に係る酸素ラジカル発生装置の特性図である。
【図９】実施の形態１に係る酸素ラジカル発生装置のコスト表を示す図である。
【図１０】実施の形態１に係る酸素ラジカル発生装置の特性図である。
【図１１】実施の形態１に係る酸素ラジカル発生装置の特性図である。
【図１２】実施の形態２に係る酸素ラジカル発生装置の構成図である。
【図１３】実施の形態３に係る酸素ラジカル発生装置の構成図である。
【発明を実施するための形態】
【００１１】
以下、本願を実施するための実施の形態に係る酸素ラジカル発生装置について、図面を参照して詳細に説明する。なお、各図において同一符号は同一もしくは相当部分を示している。
【００１２】
実施の形態１．
図１は、実施の形態１に係る酸素ラジカル発生装置の構成図である。本実施の形態の酸素ラジカル発生装置１は、ガス−ガスエジェクタ６と酸素ラジカル供給装置７とで構成されている。ガス−ガスエジェクタ６は円筒形状であり、供給口６１、ノズル６２、ガス混合領域６３、ディフューザ６４および排出口６５で構成されている。供給口６１には、外部から第一ガス２１が供給される。第一ガスは酸素含有ガスであり、本実施の形態においては空気を用いている。第一ガスである空気は、高圧ポンプ２で供給口６１に供給される。図１において、白矢印は第一ガス２１の流れる方向を示している。ノズル６２は、下流側に向かって縮小角度が約４５度で管路断面積を徐々に絞った構成である。ディフューザ６４は、下流側に向かって拡大角度が約１０度で管路断面積を徐々に拡げた構成である。ガス−ガスエジェクタ６において、高圧ポンプ２で加圧された第一ガス２１は、供給口６１から供給され、ノズル６２で流速が増加される。流速が最大になった第一ガス２１は、ガス混合領域６３を通過し、ディフューザ６４で圧力回復が行われ、排出口６５から排出される。
【００１３】
ガス混合領域６３は、ノズル６２から噴射された高速の第一ガス２１のベンチュリー効果によって数ｋＰａから５０ｋＰａの負圧状態になる。このガス混合領域６３は、第一ガス２１の流れと交差する方向、例えば直交する方向からガスを供給するためのガス供給口６６を備えている。負圧状態となったガス混合領域６３では、ガス供給口６６から第二ガスが吸い込まれ、第一ガス２１と第二ガスとが混合される。ガス供給口６６には、酸素ラジカル供給装置７が接続されている。
【００１４】
酸素ラジカル供給装置７は、上流ガス配管７１と放電管７２と下流ガス配管７３とを備えている。放電管７２の外周には誘導結合用のコイル７４が設けられている。また、放電管７２の外側には断熱外管７５が設けられており、放電管７２と断熱外管７５との間には断熱材７６が充填されている。コイル７４には、交流電源７７が接続されている。酸素ラジカル供給装置７は、上流ガス配管７１に供給される酸素を放電管７２および下流ガス配管７３を経由して、ガス−ガスエジェクタ６のガス供給口６６に酸素ラジカルを含む第二ガスを供給する。
【００１５】
酸素ラジカル供給装置７の上流ガス配管７１には、酸素ガス供給装置８が接続されている。酸素ガス供給装置８は、酸素ガスタンク８１、湿度調整器８２、バルブ８３、流量調整器８４および逆止弁８５を備えている。酸素ガスタンク８１には露点４０℃以下の高純度の乾燥された酸素ガスが貯蔵されている。酸素ガス供給装置８は、酸素ラジカル供給装置７へ高純度の酸素ガスを供給する。
【００１６】
酸素ラジカル供給装置７は、交流電源７７からコイル７４に交流電圧を印加することで、放電管７２の内部に高電圧および高周波数の変動磁場を発生させ、放電管７２内部にプラズマ放電空間を発生させる。つまり、コイル７４と交流電源７７とで放電電力印加部を構成している。このプラズマ放電空間に酸素ガスが供給されると、このプラズマ放電空間では、電子衝突で酸素ラジカル（Ｏ）が生成される（Ｏ２＋ｅ→Ｏ＋Ｏ＋ｅ、ｅは電子を示す）。酸素ラジカル発生装置１は、酸素ラジカル供給装置７で生成された酸素ラジカルを含む第二ガスをガス−ガスエジェクタ６のガス混合領域６３を流れる第一ガス２１に注入する。このようにして酸素ラジカル発生装置１は、第一ガスである空気に酸素ラジカルを注入することでオゾンを発生させる（Ｏ＋Ｏ２→Ｏ３）。
【００１７】
放電管７２の内部で生成された酸素ラジカルは５００Ｋ以下の低温では寿命が短い。本実施の形態の酸素ラジカル発生装置１においては、放電管７２の外側に断熱外管７５を設け、さらに放電管７２と断熱外管７５との間に断熱材７６を充填している。そのため、放電管７２内部のプラズマ放電空間の温度は、５００Ｋから２０００Ｋに保持される。そのため、放電管７２内部で生成された酸素ラジカルは長時間その状態を保つことができ、放電管７２の内部に高密度の酸素ラジカルを生成させることができる。その結果、酸素ラジカル発生装置１のオゾン発生能力を飛躍的に向上させることができる。
【００１８】
プラズマ放電空間で生成した酸素ラジカルは、プラズマ放電空間を離れると数マイクロ秒のオーダーで急速に失活する（Ｏ＋Ｏ→Ｏ２）。そのため、酸素ラジカルが失活する前に酸素ラジカルを含む第二ガスを第一ガスに注入する必要がある。したがって、酸素ラジカルがプラズマ放電空間を離れてからガス混合領域６３に到達するまでの移動時間を１ｍｓｅｃ以下にする必要がある。本実施の形態の酸素ラジカル発生装置１においては、酸素ラジカル供給装置７をガス混合領域６３に隣接して配置し、下流ガス配管７３の長さを１０ｃｍ以下としている。
【００１９】
ガス−ガスエジェクタ６は、酸素ラジカル（Ｏ）オゾン（Ｏ３）、過酸化水素（Ｈ２Ｏ２）、ＯＨラジカルなどの活性ガスに曝される。そのため、ガス−ガスエジェクタ６の材料は耐食性の高い材料であることが望ましい。ガス−ガスエジェクタ６の材料としては、例えばＰＴＦＥ（ポリテトラフルオロエチレン）、ＰＦＡ（ペルフルオロアルコキシアルカン）などのフッ素樹脂、ステンレス（ＳＵＳ３１６、ＳＵＳ３０４など）などの金属材料、または表面がフッ素樹脂で被覆された材料などを用いることができる。酸素ラジカル供給装置７の放電管７２の材料は、高温に耐える誘電体が望ましい。放電管７２は、例えば石英、耐熱性を有するホウケイ酸ガラスなどのガラス類、またはアルミナ、ジルコニアなどのセラミクス類を用いることができる。また、図１に示す酸素ラジカル供給装置７において、上流ガス配管７１と放電管７２と下流ガス配管７３とを異なる構成としたが、１本の管状の誘電体で構成してもよい。これらを１本の管状の誘電体で構成することは、非プラズマ放電空間を狭くすることに有効である。
【００２０】
酸素ラジカル発生装置１において、酸素ラジカルをプラズマ放電空間で高効率かつ高濃度に生成し、高効率にガス混合領域６３に供給するためには、プラズマ放電空間のガス温度を上げること、およびプラズマ放電空間からガス混合領域６３までの酸素ラジカルの移動時間を短くすることが重要である。
【００２１】
プラズマ放電空間のガス温度を上げるために、本実施の形態の酸素ラジカル供給装置７においては、放電管７２の外周に断熱外管７５が設置されている。この断熱外管７５は、コイル７４の電磁波の漏洩を抑え、かつプラズマ放電空間の熱を外部に逃さない機能を有する。電磁波の漏洩を抑える目的で、断熱外管７５として金属管を使用することができる。または、断熱外管７５として絶縁管の内表面および外表面の少なくとも一方に導電性皮膜を施したものを使用することができる。さらに、断熱効果を向上させかつ電気絶縁性を確保する目的で、本実施の形態の酸素ラジカル供給装置７においては、放電管７２と断熱外管７５との間には断熱材７６が充填されている。断熱材７６としては、断熱性および電気絶縁性に優れ、かつ熱膨張時に放電管７２にストレスを与えないようにシリコン系のゴムを用いている。
【００２２】
プラズマ放電空間からガス混合領域６３までの酸素ラジカルの移動時間を短くするために、本実施の形態の酸素ラジカル供給装置７においては、放電管７２をガス混合領域６３の近傍に設置すると共に、下流ガス配管７３の内部に絞り７８を設置している。
図１に示す酸素ラジカル供給装置７において、実験の結果、ガス流の影響でプラズマ放電空間内の荷電粒子がガス下流方向に流され、放電管７２よりもガス下流側にプラズマ放電が伸長することが判明した。とくに下流ガス配管７３の長さを５ｃｍ以下にすることで、プラズマ放電はガス混合領域６３まで伸長し、酸素ラジカルは非プラズマ放電空間を通過することなく第一ガスに注入することができることが判明した。本実施の形態の酸素ラジカル発生装置１においては、下流ガス配管７３を除いて、ガス−ガスエジェクタ６のガス供給口６６に放電管７２を直接接続してもよい。また、本実施の形態の酸素ラジカル供給装置７においては、図１に示すように、下流ガス配管７３の内部に絞り７８を設置している。この絞り７８は、下流ガス配管７３の管路断面積をガス流の下流側に向かって徐々に小さくしたものである。絞り７８を設置することで、下流ガス配管７３内のガスの流速が増大し、酸素ラジカルがプラズマ放電空間を離れてからガス混合領域６３に到達するまでの移動時間を短くすることができる。酸素ラジカルの寿命を考慮すると、酸素ラジカルの非プラズマ放電空間の滞在時間、すなわちプラズマ放電空間からガス混合領域６３までの移動時間は１ｍｓ以下に設定することが望ましい。
【００２３】
酸素ラジカル供給装置７において、始動のときにプラズマの点火が困難な場合がある。本実施の形態の酸素ラジカル供給装置７においては、図１に示すように、放電管７２のガスの流入側に金属リング７９を設置してもよい。コイル７４に交流電圧の印加を開始してプラズマを点火するときにこの金属リング７９に電界が集中するので、放電が開始し易くなる。
なお、本実施の形態の酸素ラジカル供給装置７においては、放電管７２の外周に巻かれたコイル７４を用いて誘導結合プラズマを発生させている。コイルを用いて誘導結合プラズマを発生させる方法以外に、放電管の外部から電磁力を印加することによって放電管の内部にプラズマ放電を発生させる他の方法、例えばＤＣグロー放電プラズマ、容量結合プラズマ、マイクロ波放電プラズマなどの方法を用いてもよい。
【００２４】
次に、本実施の形態の酸素ラジカル供給装置７の性能について説明する。図２は、本実施の形態の酸素ラジカル供給装置７における酸素ガスの解離率に対するガス圧依存性を示す特性図である。ここで、酸素ガスの解離率は、酸素ガス濃度に対する酸素ラジカル濃度のモル比率（これ以降Ｏ／Ｏ２とも記す）で定義した。また、放電電力密度は、放電電力（単位：Ｗ）を放電管７２の内部の放電部体積（単位：ｃｍ３）で割ったものである。図２において、横軸は放電管７２の内部のガス圧、縦軸は放電電力密度である。図２に示す特性の測定の条件は、放電管７２の内部のガス温度が６００Ｋ、比エネルギー密度（ＳＥＤ：Ｓｐｅｃｉｆｉｃ  Ｅｎｅｒｇｙ  Ｄｅｎｓｉｔｙ）が１Ｊ／ｃｍ３である。ここで、ＳＥＤは、放電電力密度（単位：Ｗ／ｃｍ３）とプラズマ放電空間の酸素ラジカルを含むガスの滞在時間（単位：秒）との積である。
【００２５】
図２において、黒丸はＯ／Ｏ２＝２を維持するために必要なガス圧と放電電力密度との関係を示し、黒四角はＯ／Ｏ２＝１を維持するために必要なガス圧と放電電力密度との関係を示し、黒三角はＯ／Ｏ２＝０．５を維持するために必要なガス圧と放電電力密度との関係を示している。図２から、放電電力密度が同じであれはガス圧が増大するにしたがって酸素ガスの解離率（Ｏ／Ｏ２）は低下するが、放電電力密度を増大させることで高いガス圧においても解離率（Ｏ／Ｏ２）が上昇することがわかる。この特性は、発明者が初めて明らかにしものである。
【００２６】
ここで、ガス圧をＰ（単位：Ｐａ）、放電電力密度をＷとする。図２において、回帰分析の結果、Ｏ／Ｏ２＝２、Ｏ／Ｏ２＝１およびＯ／Ｏ２＝０．５の回帰曲線はそれぞれＷ＝６．８×Ｐ３．１４０５、Ｗ＝３．０×Ｐ３．０２６８およびＷ＝１．１×Ｐ３．０７３となることがわかった。したがって、ガス圧Ｐの条件において、放電電力密度Ｗを、Ｗ＞１．１×Ｐ３．０７３に設定することでＯ／Ｏ２＞０．５が得られる。さらに、放電電力密度Ｗを、Ｗ＞３．０×Ｐ３．０２６８に設定することでさらに高い酸素ガスの解離率（Ｏ／Ｏ２＞１）が得られる。
【００２７】
図３は、本実施の形態の酸素ラジカル供給装置７における酸素ガスの解離率に対するガス温度依存性を示す特性図である。図３において、横軸は放電管７２の内部のガス温度、縦軸は放電電力密度である。図３に示す特性の測定の条件は、放電管７２の内部のガス圧が１０ｋＰａ、ＳＥＤが１Ｊ／ｃｍ３である。図３において、黒丸はＯ／Ｏ２＝１を維持するために必要なガス温度と放電電力密度との関係を示している。
【００２８】
図３から、ガス温度が高くなるにしたがって酸素の解離率が増大するために同じ酸素の解離率を維持するための放電電力密度は低くなることがわかった。ここで、ガス温度をＴ（単位：Ｋ）、放電電力密度をＷとする。図３において、回帰分析の結果、ガス圧が１０ｋＰａにおけるＯ／Ｏ２＝１の回帰曲線は、Ｗ＝２×１０１４×Ｔ−３．８６７となることがわかった。以上の結果から、プラズマ放電空間のガス温度を高くすることで酸素の解離率を高くできる。
【００２９】
酸素プラズマ放電の研究は、半導体製造プロセスに対応した数１００ｍＰａから数１００Ｐａの低ガス圧領域での研究、またはオゾン生成および表面処理に対応した１００ｋＰａ以上の高ガス圧領域での研究がほとんどである。１ｋＰａから５０ｋＰａの中ガス圧領域での放電電力密度の影響は、今回の検討で初めて明らかになった。図２および図３で示した事実、すなわち同じ放電電力密度の条件では、ガス圧が増大するにしたがって酸素の解離率が低下すること、放電電力密度が増大するにしたがって酸素の解離率が上昇すること、およびガス温度が高くなるにしたがって酸素の解離率が上昇することはこれまで報告された例はなく発明者が初めて見出したものである。
【００３０】
さらに、ガス温度が６００Ｋにおいて、Ｏ／Ｏ２＝１を実現するために必要な放電電力密度Ｗ（Ｗ／ｃｍ３）は、ガス圧Ｐ（Ｐａ）に対してＷ＝３．０×Ｐ３．０２６８の関係が成り立つことを見出した。また、ガス圧が１０ｋＰａにおいて、Ｏ／Ｏ２＝１を実現するために必要な放電電力密度Ｗ（Ｗ／ｃｍ３）は、ガス温度Ｔ（Ｋ）に対してＷ＝２×１０１４×Ｔ−３．８６７の関係が成り立つことを見出した。これらの放電電力密度の臨界値は、高濃度でＯラジカルを発生させる酸素ラジカル供給装置の設計基準として極めて重要な値であり、新しい指針となる極めて大きな発見と言える。
【００３１】
なお、図２および図３の結果は、本実施の形態の酸素ラジカル発生装置１において、ガス−ガスエジェクタを用いて放電管を減圧した場合の結果である。ガス−ガスエジェクタの替わりに真空ポンプ、メカニカルブースターポンプなどのポンプ類、ターボファンなどの送風機を用いて放電管７２の内部のガス圧を１ｋＰａから２０ｋＰａに減圧する場合でも同様の結果が得られる。
【００３２】
図４は、本実施の形態の酸素ラジカル供給装置７におけるオゾンの生成特性を示す特性図である。図４に示す特性は、酸素ラジカル供給装置７で生成された酸素ラジカルを大気中に開放したときのオゾンの生成特性である。この条件は、第一ガスが存在しない場合に相当する。図４に示す特性の測定の条件は、放電管７２の内部のガス圧が６．６７ｋＰａ、ガス温度が６００Ｋ、放電電力密度が１ｋＷ／ｃｍ３である。図４において、横軸は酸素ガスの解離率（Ｏ／Ｏ２）、縦軸はＯからＯ３への変換効率、生成されたＯ３濃度およびＯ３の生成効率を示す。ここで、ＯからＯ３への変換効率は、オゾンガスが酸素ガスに変換されるモル比率（これ以降Ｏ３／Ｏ）とも記す）で定義した。また、Ｏ３の生成効率は、Ｏラジカルの生成効率とＯラジカルからＯ３への変換効率との積で定義される。図４において、ＯからＯ３への変換効率は、縦軸の数値である。Ｏ３濃度は、縦軸の数値に１０％をかけた値である。Ｏ３の生成効率は、縦軸の数値に１０１８ｐａｒｔｉｃｌｅｓ／Ｊをかけた値である。図４において、実線はＯからＯ３への変換効率（Ｏ３／Ｏ）を示し、破線はＯ３の生成効率を示し、一点破線はＯ３濃度を示している。
【００３３】
図４から、酸素の解離率（Ｏ／Ｏ２）が増大するにしたがってＯ３を生成するために必要なＯ２分子数が減るため、ＯからＯ３への変換効率（Ｏ３／Ｏ）およびＯ３の生成効率は急速に低下することがわかる。ここで、Ｏ／Ｏ２＝１のときの特性値を下記に示す。
酸素の解離率：Ｏ／Ｏ２＝１
酸素ラジカルの生成効率：１．１７×１０１８ｐａｒｔｉｃｌｅｓ／Ｊ
オゾンへの変換効率：Ｏ３／Ｏ＝０．１３９
オゾンの生成効率：１．６２×１０１７ｐａｒｔｉｃｌｅｓ／Ｊ
（＝１．１７×１０１８ｐａｒｔｉｃｌｅｓ／Ｊ×０．１３９）
＝４６．８ｇＯ３／ｋＷｈ
オゾン濃度：９．７１ｍｏｌ％＝２０８ｇ／Ｎｍ３
ここで、単位ｇＯ３は、オゾンの生成量を質量に換算したものである。
【００３４】
図５は、本実施の形態の酸素ラジカル発生装置において、オゾン濃度に対するコストを見積もった特性図である。図５において、横軸はオゾン濃度、縦軸はオゾン１ｋｇを生成するときに必要なコスト（円）を示す。図５に示すコストは、電気代を１５円／ｋＷｈ、酸素ガス代を２５円／ｍ３とし、図４に示すオゾンの生成特性に基づいて試算した。なお、第一ガスの供給は行われていないので、コストの見積もりに高圧ポンプ２を作動させるための電気代は含まれていない。また、図５において、黒丸は電気代、黒四角はガス代、黒三角はランニングコストを示している。図５から、ランニングコストが最小になるのは、オゾン濃度が約７％（＝１５０ｇ／Ｎｍ３）の場合であることがわかる。
【００３５】
次に、Ｏ／Ｏ２＝１の場合に第一ガスの混合量の効果について説明する。図６は、Ｏ／Ｏ２＝１の場合において、第一ガスの混合量に対するオゾンの生成特性を示す特性図である。図６において、横軸は酸素ガスの希釈倍率であり、縦軸はＯからＯ３への変換効率（Ｏ３／Ｏ）、生成されたＯ３濃度およびＯ３の生成効率を示す。ここで、酸素ガスの希釈倍率Ｄは、酸素ラジカル供給装置７から供給される第二ガスの流量をＱとし、高圧ポンプ２から供給される第一ガスである空気の流量をＱ１とすると、Ｄ＝（Ｑ＋Ｑ１）／Ｑで定義される。図６において、ＯからＯ３への変換効率は、縦軸の数値である。Ｏ３濃度は、縦軸の数値に１００ｇ／Ｎｍ３をかけた値である。Ｏ３の生成効率は、縦軸の数値に５００ｇＯ３／ｋＷｈをかけた値である。図６において、黒丸はＯからＯ３への変換効率（Ｏ３／Ｏ）、黒四角はＯ３濃度、黒三角はＯ３の生成効率を示している。
【００３６】
図６からわかるように、第一ガスの混合量が増加するすなわち希釈倍率が増大すると、オゾン濃度は低下するが、ＯからＯ３への変換効率（Ｏ３／Ｏ）およびＯ３の生成効率は大幅に増大することがわかる。この特性はＯ３を生成するために必要なＯ２が増加したことによる得られる効果である。
【００３７】
図７は、本実施の形態の酸素ラジカル発生装置において、希釈倍率１、１０および１００の場合の特性を表として示す図である。図７からわかるように、第二ガスが第一ガスで１００倍に希釈された場合、１倍に希釈された場合に対してオゾン濃度は約１／２５になる。希釈倍率が１００倍のときにオゾン濃度が１／１００にならずに１／２５になるということから、ＯラジカルからＯ３への変換効率およびＯ３の生成効率がそれぞれ約５．５倍向上することがわかる。また、１０倍希釈の場合でも、ＯラジカルからＯ３への変換効率およびＯ３の生成効率がそれぞれ約２．４倍向上することがわかる。したがって、酸素ラジカルを含む第二ガスを酸素を含む第一ガスで希釈する場合、１０倍以上に希釈するすなわち第二ガスの流量に対して第一ガスの流量を９倍以上に設定することでＯラジカルからＯ３への変換効率およびＯ３の生成効率を向上させることができる。さらに望ましくは、酸素ラジカルを含む第二ガスを酸素を含む第一ガスで１００倍程度に希釈することで、ＯラジカルからＯ３への変換効率およびＯ３の生成効率をさらに向上させることができる。
【００３８】
図８は、本実施の形態の酸素ラジカル発生装置１において、オゾン濃度に対するコストを見積もった特性図である。図８において、横軸はオゾン濃度、縦軸はオゾン１ｋｇを生成するときに必要なコスト（円）を示す。図８に示すコストは、電気代を１５円／ｋＷｈ、酸素ガス代を２５円／ｍ３とした。また、図８において、黒丸は電気代、黒四角はガス代、黒三角はランニングコストを示している。ここで、オゾン濃度が９．７１％のときが希釈なし、オゾン濃度が５％のときが希釈倍率が２、オゾン濃度が０．３８％のときが希釈倍率が１００に相当する。図８からわかるように、希釈倍率の増大でランニングコストが低下することがわかる。
【００３９】
図９は、本実施の形態の酸素ラジカル発生装置１において、希釈倍率１、１０および１００の場合のコストを表として示す図である。図９におけるコストは、現行の水処理システムで使用されている酸素ラジカル発生装置のコストを１とした場合の相対コストである。現行の水処理システムで使用されている酸素ラジカル発生装置においては、第一ガスで第二ガスを希釈することは行われていない。図９からわかるように、希釈倍率を１００とすることで、現行の酸素ラジカル発生装置のランニングコストに対して約１／３のランニングコストを実現することができる。
【００４０】
次に、本実施の形態の酸素ラジカル発生装置のおける第一ガスに含まれる水分の影響について説明する。
図１０は、本実施の形態の酸素ラジカル発生装置１において、第一ガスとして２．３％の水分を含む空気を用いて第二ガスを希釈したときのオゾンの生成特性を示す特性図である。空気中の２．３％の水分は、２０℃で１気圧の飽和蒸気圧に相当する。図１０において、横軸は酸素ガスの希釈倍率であり、縦軸はＯからＯ３への変換効率（Ｏ３／Ｏ）、生成されたＯ３濃度およびＯ３の生成効率を示す。図１０において、ＯからＯ３への変換効率は、縦軸の数値である。Ｏ３濃度は、縦軸の数値に１００ｇ／Ｎｍ３をかけた値である。Ｏ３の生成効率は、縦軸の数値に１００ｇＯ３／ｋＷｈをかけた値である。図１０において、黒丸はＯからＯ３への変換効率、黒四角はＯ３濃度、黒三角はＯ３の生成効率を示している。図１０に示すように、希釈倍率が増えるにしたがってＯ３濃度が低下していくことがわかる。
【００４１】
図１１は、本実施の形態の酸素ラジカル発生装置１において、第一ガスの水分含有量に対するオゾンの生成効率を示す特性図である。図１１に示す特性は、希釈倍率が１００倍のときの特性である。図１１において、横軸は第一ガスである空気の水分含有量であり、縦軸はオゾンの生成効率の相対値である。図１１に示すように、水分含有量が増えるにしたがってオゾンの生成効率が低下していくことがわかる。水分含有量が０．５％以下であれば、水分含有量がゼロのときのオゾンの生成効率に対して５０％以上のオゾン生成効率が得られる。さらに、水分含有量が０．１％以下であれば、水分含有量がゼロのときのオゾンの生成効率に対して８０％以上のオゾン生成効率が得られる。水分の影響を調べたところ、希釈用の空気に水分が含まれている場合、Ｏラジカルがその水分と反応してＯＨ、Ｈ２Ｏ２などを生成するため、ＯラジカルからＯ３への変換が妨げられることが明らかになった。
【００４２】
そこで、本実施の形態の酸素ラジカル発生装置１においては、図１に示すように、高圧ポンプ２の出口側に湿度調整器２２を備えている。この湿度調整器２２を用いて第一ガスとしての空気の水分含有量を０．５％以下すなわち露点０℃以下としている。従来、酸素ラジカルを含む第二ガスの水分含有量の影響の研究報告はあるが、酸素ラジカルに混合する第一ガスの水分含有量の影響については今回初めて明らかになった。
【００４３】
以上説明したように、本実施の形態の酸素ラジカル発生装置は、ガス混合領域において酸素含有ガスの流れる方向と交差する方向から酸素ラジカルを供給する酸素ラジカル供給装置を備えており、この酸素ラジカル供給装置がガス圧が１ｋＰａから５０ｋＰａの酸素ガスが流れる放電部と、放電部に放電電力を供給してプラズマ放電を発生させて酸素ラジカルを生成させる放電電力印加部とを備えているので、酸素ラジカルの生成効率を高くできる。その結果、オゾンの生成効率を高くすることができる。
【００４４】
実施の形態２．
図１２は、実施の形態２に係る酸素ラジカル発生装置の構成図である。本実施の形態の酸素ラジカル発生装置１は、図１２に示すように、実施の形態１と同様のガス−ガスエジェクタ６が２つ直列に接続されている。２つのガス−ガスエジェクタ６には、酸素ラジカル供給装置７がそれぞれ接続されている。さらに、２つの酸素ラジカル供給装置７には、酸素ガス供給装置８がそれぞれ接続されている。
【００４５】
本実施の形態の酸素ラジカル発生装置１において、２つのガス−ガスエジェクタ６および２つの酸素ラジカル供給装置７の動作については実施の形態１と同様である。本実施の形態の酸素ラジカル発生装置１は、２つのガス−ガスエジェクタ６を直列に接続することで、オゾン濃度を高くすることができる。なお、ガス−ガスエジェクタ６の直列接続は、３つ以上であってもよい。また、２つの酸素ラジカル供給装置７それぞれに酸素ガス供給装置８を接続しているが、１つの酸素ガス供給装置８から２つの酸素ラジカル供給装置７に酸素ガスを供給してもよい。さらには、２つの酸素ラジカル供給装置７のそれぞれのコイルに共通の１つの電源から電力を供給してもよい。
【００４６】
実施の形態３．
図１３は、実施の形態３に係る酸素ラジカル発生装置の構成図である。本実施の形態の酸素ラジカル発生装置は、実施の形態１で説明した酸素ラジカル発生装置において、放電の立ち上がり特性を改善したものである。図１３に示すように、本実施の形態においては、酸素ラジカル供給装置７の上流ガス配管７１が斜め横方向からガスを導入するためのガス導入配管７１ａを備えたものである。図１３の下の図には、ガス導入配管７１ａを備えた上流ガス配管７１の断面図を示している。このガス導入配管７１ａには、酸素ガス供給装置８が接続されている。また、放電管７２のガスの上流側の位置に、放電管７２の外周に金属リング９６を配置している。この金属リング９６はコンデンサ９７を介して接地電位に設定されている。さらに、酸素ガス供給装置８と並列に不活性ガス供給装置１０を備えている。不活性ガス供給装置１０は、例えば不活性ガスのアルゴンガスを貯蔵した不活性ガスタンク１０１、湿度調整器１０２、バルブ１０３、流量調整器１０４および逆止弁１０５を備えている。不活性ガス供給装置１０は、ガス導入配管７１ａに不活性ガスを供給する。なお、不活性ガスとしては、アルゴンガス以外にヘリウムガスでもよい。
【００４７】
このように構成された酸素ラジカル発生装置１においては、ガス導入配管７１ａから導入された酸素ガスが螺旋状に回流しながら放電管７２の内部を流れるため、誘導結合プラズマが点火し易くなる。このとき、図１３の下の図に示すように、上流ガス配管７１の中心軸に対して、ガス導入配管７１ａの中心軸の方向をずらしておくと、より効果的に螺旋流を発生させることができる。さらに、ガス導入配管７１ａの内径を上流ガス配管７１の内径の１／２以下とすることで、ガス導入配管７１ａを通過する酸素ガスの流速を速くすることができる。そのため、放電管７２のガス圧を低くすることができる。その結果、プラズマ放電の開始が容易となる。また、酸素ラジカル供給装置７の始動時に高電圧が印加されたコイル７４と金属リング９６との間で放電が発生する。この放電が主放電開始の種火となるため、酸素ラジカル供給装置７の始動が容易となる。ただし、種火放電にエネルギーが入り過ぎると主放電に供給されるエネルギーが不足する。コンデンサ９７の容量を調整することで種火放電のエネルギー量を調整することができる。なお、金属リング９６とコンデンサ９７とに替えて、放電管７２のガスの上流側の位置にテスラコイルを設けてもよい。このテスラコイルで種火を発生させる方法でも放電開始が容易になる。
【００４８】
また、酸素ガスは付着性ガスのため放電しにくい。一方、酸素ガスに比べてアルゴンガスおよびヘリウムガスなどの不活性ガスは放電し易い。図１３に示したように、本実施の形態の酸素ラジカル発生装置１は、不活性ガス供給装置１０を備えており、起動時には不活性ガスを流して放電を開始させることができる。一旦放電が開始すると放電の維持は容易である。本実施の形態においては、不活性ガスを流して放電を開始した後は徐々に不活性ガスの流量を減らすと共に酸素ガスの流量を増やし、最終的には酸素ガスだけで放電するように制御することができる。このような方法で放電を開始することで、放電の立ち上がり特性を改善することができる。
【００４９】
なお、図１３に示す酸素ラジカル発生装置１において、不活性ガスを使用せず、酸素ガスの流量を制御することで放電の立ち上がり特性を改善することもできる。酸素ガス供給装置８から酸素ラジカル供給装置７に供給する酸素ガスの流量を絞り、その状態でコイル７４への電力の供給を開始する。そうすると放電管７２内部のガス圧は低いため、放電開始が容易となる。放電が開始された後は酸素ガスの流量を徐々に増加させて放電管７２内部のガス圧を上昇させて安定に放電を保持することができる。
【００５０】
本願は、様々な例示的な実施の形態および実施例が記載されているが、１つ、または複数の実施の形態に記載された様々な特徴、態様、および機能は特定の実施の形態の適用に限られるのではなく、単独で、または様々な組み合わせで実施の形態に適用可能である。
したがって、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００５１】
１  酸素ラジカル発生装置、２  高圧ポンプ、６  ガス−ガスエジェクタ、７  酸素ラジカル供給装置、８  酸素ガス供給装置、１０  不活性ガス供給装置、２１  第一ガス、２２、８２、１０２  湿度調整器、６１  供給口、６２  ノズル、６３  ガス混合領域、６４  ディフューザ、６５  排出口、６６  ガス供給口、７１  上流ガス配管、７２  放電管、７３  下流ガス配管、７４  コイル、７５  断熱外管、７６  断熱材、７７  交流電源、７８  絞り、７９、９６  金属リング、８１  酸素ガスタンク、８３、１０３  バルブ、８４、１０４  流量調整器、８５、１０５  逆止弁、９７  コンデンサ、１０１  不活性ガスタンク。
【要約】
効率よく酸素ラジカルを空気に注入することができる酸素ラジカル発生装置を提供する。
酸素を含む第一ガスが供給される第一ガス供給部（６２）と、酸素を含む第二ガスが供給される第二ガス供給部（７１）と、第二ガス供給部に供給された第二ガスに放電処理を施して酸素ラジカルを発生させる放電処理部（７２）と、放電処理部によって放電処理が施された前記第二ガスと前記第一ガス供給部に供給された第一ガスとを混合した混合ガスを生成する混合部（６３）と、混合部によって生成された混合ガスを排出する混合ガス排出部（６５）とを備えている。【図１】
0006818953.tif 000002
【図２】
0006818953.tif 000003
【図３】
0006818953.tif 000004
【図４】
0006818953.tif 000005
【図５】
0006818953.tif 000006
【図６】
0006818953.tif 000007
【図７】
0006818953.tif 000008
【図８】
0006818953.tif 000009
【図９】
0006818953.tif 000010
【図１０】
0006818953.tif 000011
【図１１】
0006818953.tif 000012
【図１２】
0006818953.tif 000013
【図１３】
0006818953.tif 000014